(57)【特許請求の範囲】
【請求項１】
かごの上部における一辺の縁部に下部が枢着されて常時は上記かごの上面に倒伏配置され要時に立設される一側手摺と、
上記かごの上部における上記一辺に対向した他辺の縁部に下部が枢着されて常時は上記上面に倒伏配置され要時に立設される他側手摺と、
上記一側手摺に設けられる取付具と、
上記他側手摺に設けられ、上記一側手摺及び他側手摺が倒伏配置されているときに、上記取付具に係合する係合具と、
上記取付具に上記係合具が係合したときに作動する検出器と、
互いに係合した上記取付具及び上記係合具を固定する固定具と
を備えたエレベーターのかご装置。
【請求項２】
上記係合具は、連結体を介して上記他側手摺に設けられることを特徴とする請求項１記載のエレベーターのかご装置。
【請求項３】
上記かごの上部における上記一辺と上記他辺とに接続した辺の縁部に下部が枢着されて常時は上記上面に倒伏配置され要時に立設される接続辺手摺と、
上記接続辺手摺の両端部に形成されて上記一側手摺及び他側手摺とともに上記接続辺手摺が立設されたときに上記一側手摺及び他側手摺に対向して上記一側手摺及び他側手摺の倒伏変位を阻止する阻止体と
を備えたことを特徴とする請求項１又は請求項２に記載のエレベーターのかご装置。
【発明の詳細な説明】
【０００１】
【発明の属する技術分野】
この発明は、かご上に作業用の手摺が立設されて、かご上面で作業員による作業が行われるエレベーターのかご装置に関する。
【０００２】
【従来の技術】
図５〜図７は、例えば、イギリス特許ＧＢ２１５８０３８号に示された構成に類似した従来のエレベーターのかご装置を示す図で、図５はエレベーター装置の縦断面図、図６は図５のエレベーター装置における保守作業状況を示す図、図７は図６のかご上部を拡大して示す斜視図である。図において、１は建物に設けられたエレベーターの昇降路、２は昇降路１の天井面、３は昇降路２に設けられた乗場である。
【０００３】
４は昇降路１の所定経路を昇降するかご、５は水平投影面において矩形をなすかご４の上面、６は昇降路１の他の所定経路を昇降するつり合おもり、７は昇降路１の天井面２寄りに設置された巻上機、８は主索で、一端が昇降路１の天井面２寄りの固定体に連結されて下降してかご４の滑車に巻掛けられて上昇し、巻上機７の駆動綱車に巻掛けられて下降してつり合おもり６の吊り車に巻掛けられて上昇し、他端は昇降路１の天井面２寄りの固定体に連結されている。９はかご４の上面５における一辺の縁部に下部が枢着された一側手摺である。
【０００４】
１０は上面５における上記一辺に対向した他辺の縁部に下部が枢着された他側手摺、１１は上面における上記一辺に接続した他辺の縁部に下部が枢着された接続辺手摺である。なお、一側手摺９、他側手摺１０及び接続辺手摺１１の三者は、常時において上面５に図５に示すように倒伏配置されて、保守作業時に図７に示すように立設位置に保持される。１２はスイッチからなる検出器で、上面２に装着されて上記三者のそれぞれに配置され、上記三者の倒伏時に対向した手摺にそれぞれ押圧されて動作する。
【０００５】
従来のエレベーターのかご装置は上記のように構成されて、通常時に一側手摺９等の三者はかご４の上面５に倒伏状態に保持され、また検出器１２はそれぞれ対向した手摺に押圧されて動作する。そして、それぞれの検出器１２の動作によって上記三者の倒伏配置が検出されて、この検出を介して制御装置によって巻上機７が制御され、駆動綱車によって主索８が駆動されてかご４、つり合おもり６が互いに反対方向に昇降する。
【０００６】
そして、昇降路１の天井面２近くに設けられたエレベーター機器の保守作業時には、最上階の乗場３よりも下方位置でかご４を停止してかご４の上面５に作業員が乗り込む。次いで、一側手摺９等の三者が図７に示すように上面５に立設されて、かご４の上面５における作業用スペースが明確化され、かご４上面５での保守作業が行われる。
【０００７】
このように、検出器１２の作動によって上記三者がかご４の上面５に倒伏状態に保持されていることが検出されて、この検出を介してエレベーターが通常運転される。したがって、上記三者が立設されたままエレベーターが通常運転されて、かご４が昇降路１の最上階の乗場３に停止した場合に、立設された上記三者が昇降路１の天井面２近くに設けられたエレベーター機器に当たって、上記三者、天井面２近くの機器に損壊が生じる事故を未然に防止するようになっている。
【０００８】
【発明が解決しようとする課題】
上記のような従来のエレベーターのかご装置では、一側手摺９等の三者のそれぞれに対してそれぞれ検出器１２が設けられる。このため、検出器１２の装着、また検出器１２に対する配線工事の費用が嵩み、煩雑な手数が掛かるという問題点があった。
【０００９】
この発明は、かかる問題点を解消するためになされたものであり、かご上面に設けられた複数の保守作業用の手摺の倒伏配置を、少ない数の検出器によって検出することができるエレベーターのかご装置を得ることを目的とする。
【００１０】
【課題を解決するための手段】
この発明に係るエレベーターのかご装置においては、かごの上部における一辺の縁部に下部が枢着されて常時はかごの上面に倒伏配置され要時に立設される一側手摺と、かごの上部における一辺に対向した他辺の縁部に下部が枢着されて常時はかごの上面に倒伏配置され要時に立設される他側手摺と、一側手摺に設けられる取付具と、他側手摺に設けられ、一側手摺及び他側手摺が倒伏配置されているときに、取付具に係合する係合具と、取付具に係合具が係合したときに作動する検出器と、互いに係合した取付具及び係合具を固定する固定具とが設けられる。
また、この発明に係るエレベーターのかご装置においては、係合具は、連結体を介して他側手摺に設けられる。
【００１１】
また、この発明に係るエレベーターのかご装置においては、かごの上部における一辺と他辺とに接続した辺の縁部に下部が枢着されて常時はかごの上面に倒伏配置され要時に立設される接続辺手摺と、接続辺手摺の両端部に形成されて一側手摺及び他側手摺とともに接続辺手摺が立設されたときに一側手摺及び他側手摺に対向して一側手摺及び他側手摺の倒伏変位を阻止する阻止体とが設けられる。
【００１３】
【発明の実施の形態】
実施の形態１．
図１〜図４は、この発明の実施の形態の一例を示す図で、図１はエレベーター装置における保守作業状況を示す図であり前述の図７相当図、図２は図１のＡ部拡大平面図、図３は図１における手摺の倒伏状態を示す斜視図、図４は図３の検出器箇所の拡大平面図である。なお、図１〜図４の他は前述の図５〜図７と同様にエレベーターのかご装置が構成されている。
【００１４】
図において、４は昇降路１の所定経路を昇降するかご、５は水平投影面において矩形をなすかご４の上面、９はかご４の上面５における一辺の縁部に下部が枢着された一側手摺である。１０は上面５における上記一辺に対向した他辺の縁部に下部が枢着された他側手摺、１１は上面における上記一辺に接続した他辺の縁部に下部が枢着された接続辺手摺である。
【００１５】
１３は接続辺手摺１１の間口方向の両端部にそれぞれ設けられた阻止体で、一側手摺９、他側手摺１０及び接続辺手摺１１の三者が立設位置に配置された場合に、対向した一側手摺９又は他側手摺１０の端部に対面して配置されると共に、一側手摺９、他側手摺１０の手摺の倒伏変位軌跡に対向して配置される。１４はＬ字状をなす取付金具で、一側手摺９の反接続辺手摺１１側の端部における上側に固定されＬ字の一辺に貫通孔１５が設けられている。
【００１６】
１６はスイッチからなる検出器で、取付金具１４のＬ字の他辺に装着されて作動部１７が取付金具１４の貫通孔１５から突出して配置されている。１８は連結体で、チェーンからなる可撓条体によって形成されて、一端が他側手摺１０の反接続辺手摺１１側の端部における上側に連結されている。
【００１７】
１９は連結体１８の他端に連結された板体からなる係合具で、一側手摺９及び他側手摺１０の両者が倒伏して配置された状態において、人為操作によって取付金具１４のＬ字の一辺に重合して配置されて検出器１６の作動部１７を押圧し検出器１６を作動させて、この状態で締結具２０によって取付金具１４に締結される。
【００１８】
上記のように構成されたエレベーターのかご装置において、通常時に接続辺手摺１１がかご４の上面５に沿う倒伏位置に保持され、一側手摺９及び他側手摺１０の両者が倒伏した接続辺手摺１１の上に倒伏状態に配置されて保持される。また、連結体１８が上記両者が倒伏して配置された状態においてのみ、係合具１９が取付金具１４のＬ字の一辺に重合可能である長さに設定されて、取付金具１４に係合具１９が締結具２０によって締結される。
【００１９】
これによって、図３に示す状態となり締結された係合具１９によって押圧された検出器１６が作動し、一側手摺３等の三者のかご４の上面５における倒伏配置が検出されて、この検出を介して制御装置によって巻上機７が制御され、駆動綱車によって主索８が駆動されてかご４、つり合おもり６が互いに反対方向に昇降する。
【００２０】
そして、昇降路１の天井面２近くに設けられたエレベーター機器の保守作業時には、最上階の乗場３よりも下方位置でかご４を停止してかご４の上面５に作業員が乗り込む。次いで、取付金具１４と係合具１９との締結具２０による締結が解除されて、先ず一側手摺９及び他側手摺１０の両者が回動されて立設位置に保持され、その後に接続辺手摺１１が回動されて立設位置に保持されて図１に示す状態となる。これにより、かご４の上面５における作業用スペースが明確化され、かご４上面５での保守作業が行われる。
【００２１】
このように、一つの検出器１６の作動によって上記三者がかご４の上面５に倒伏状態に保持されていることが検出されて、この検出を介してエレベーターが通常運転される。したがって、上記三者が立設されたままエレベーターが通常運転されて、かご４が昇降路１の最上階の乗場３に停止した場合に、立設された上記三者が昇降路１の天井面２近くに設けられたエレベーター機器に当たって、上記三者、天井面２近くの機器に損壊が生じる事故が未然に防止される。
【００２２】
上記のような構成において、一側手摺３等の三者の倒伏状態が一つの検出器１６の作動によって検出される。このため、検出器１６の装着、また検出器１６の配線工事の手数が少なくなり、また費用を節減することができてエレベーターのかご装置の製造費を低減することができる。
【００２３】
なお、図１〜図４の実施の形態における接続辺手摺１１が省略された構成であっても、一側手摺９及び他側手摺１０の両者が倒伏した状態においてのみ、係合具１９が取付金具１４のＬ字の一辺に重合可能であって、取付金具１４に係合具１９が締結具２０によって締結される。
【００２４】
これによって、図３に示す状態に準じた状態となり締結された係合具１９によって押圧された検出器１６が作動し、上記両者のかご４の上面５における倒伏配置が検出されて、この検出を介してエレベーターが通常運転される。したがって、接続辺手摺１１が省略された構成においても図１〜図４の実施の形態における作用を得ることができる。なお、上記両者の一方が立設状態であるときには係合具１９が取付金具１４に締結不能になるので、検出器１６が作動することは無く、エレベーターが通常運転されることは無い。
【００２５】
また、図１〜図４の実施の形態において阻止体１３を接続辺手摺１１の間口方向の何れかの一端にのみ設けた構成であっても、その阻止体に対向した一側手摺９及び他側手摺１０の何れかが倒伏変位不能になる。このため、係合具１９が取付金具１４に締結不能になるので検出器１６が作動することは無く、図１〜図４の実施の形態における作用を得ることができる。
【００２６】
また、図１〜図４の実施の形態において阻止体１３を、一側手摺９及び他側手摺１０の何れかに設けられて、立設された接続辺手摺１１の間口方向の端部に対向して配置した構成であっても、接続辺手摺１１が立設されている場合には阻止体が接続辺手摺１１の間口方向の端部に当たって、阻止体が設けられた手摺の倒伏変位が不能になり、係合具１９が取付金具１４に締結不能になるので検出器１６が作動することは無く、図１〜図４の実施の形態における作用を得ることができる。
【００２７】
さらに、図１〜図４の実施の形態における他側手摺１０が省略され、また連結体１８を、一端がかご４の部材に連結されて一側手摺９が倒伏状態である場合にのみ、係合具１９を取付金具１４のＬ字の一辺に重合できるように構成する。このような構成であっても、一側手摺９及び接続辺手摺１１が倒伏状態である場合のみに検出器１６を作動させることができる。このような構成においても図１〜図４の実施の形態における作用を得ることができる。
【００２８】
【発明の効果】
この発明は以上説明したように、かごの上部における一辺の縁部に下部が枢着されて常時はかごの上面に倒伏配置され要時に立設される一側手摺と、かごの上部における一辺に対向した他辺の縁部に下部が枢着されて常時はかごの上面に倒伏配置され要時に立設される他側手摺と、一側手摺に設けられる取付具と、他側手摺に設けられ、一側手摺及び他側手摺が倒伏配置されているときに、取付具に係合する係合具と、取付具に係合具が係合したときに作動する検出器と、互いに係合した取付具及び係合具を固定する固定具とを設けたものである。
また、この発明は以上説明したように、係合具を、連結体を介して他側手摺に設けたものである。
【００２９】
これによって、昇降路のエレベーター機器の保守作業時に係合具と検出器の係合が解除され、一側手摺及び他側手摺の両者が立設されて保守作業が行われる。そして、保守作業が終了すると上記両者が倒伏配置されて係合具が検出器に係合され、検出器の作動を介してエレベーターが通常運転に復帰する。このように、一つの検出器の作動によって上記両者の倒伏状態保持を検出することができ、検出器の装着、また検出器の配線工事の手数が少なくなり、また費用を節減することができてエレベーターのかご装置の製造費を低減する効果がある。
【００３０】
また、この発明は以上説明したように、かごの上部における一辺と他辺とに接続した辺の縁部に下部が枢着されて常時はかごの上面に倒伏配置され要時に立設される接続辺手摺と、接続辺手摺の両端部に形成されて一側手摺及び他側手摺とともに接続辺手摺が立設されたときに一側手摺及び他側手摺に対向して一側手摺及び他側手摺の倒伏変位を阻止する阻止体とを設けたものである。
【００３１】
これによって、昇降路のエレベーター機器の保守作業時に係合具と検出器の係合が解除され、一側手摺、他側手摺、接続辺手摺が立設されて保守作業が行われる。そして、保守作業が終了すると一側手摺、他側手摺、接続辺手摺が倒伏配置されて係合具が検出器に係合され、検出器の作動を介してエレベーターが通常運転に復帰する。このように、一つの検出器の作動によって一側手摺、他側手摺、接続辺手摺の倒伏状態保持を検出することができ、検出器の装着、また検出器の配線工事の手数が少なくなり、また費用を節減することができてエレベーターのかご装置の製造費を低減する効果がある。
【図面の簡単な説明】
【図１】  この発明の実施の形態１を示す図で、エレベーター装置における保守作業状況を示す図であり後述する図７相当図。
【図２】  図１のＡ部拡大平面図。
【図３】  図１における手摺の倒伏状態を示す斜視図。
【図４】  図３の検出器箇所の拡大平面図。
【図５】  従来のエレベーターのかご装置を示す図で、エレベーター装置の縦断面図。
【図６】  図５のエレベーター装置における保守作業状況を示す図。
【図７】  図６のかご上部を拡大して示す斜視図。
【符号の説明】
４  かご、    ５  上面、    ９  一側手摺、    １０  他側手摺、    １１接続辺手摺、    １６  検出器、    １８  連結体、    １９  係合具。
【図１】
0004684445.tif 000002
【図２】
0004684445.tif 000003
【図３】
0004684445.tif 000004
【図４】
0004684445.tif 000005
【図５】
0004684445.tif 000006
【図６】
0004684445.tif 000007
【図７】
0004684445.tif 000008